(57)【要約】【課題】着崩れを防止する機能が更に向上したブラジャーないしセパレートタイプの水着のトップ部から選ばれた乳房カップ部を有する衣料を提供する。【解決手段】バック布１として、その長さ方向及び幅方向にも良好な伸縮性を有し、且つ幅方向の伸長率が１６０％の生地を用い、バック布１の上辺部５の領域は、バック布１の下辺部７の領域や中央部６の領域よりも緊迫力が大きくなるように設計されていて、バック布１の下辺部７の領域は、この部分の緊迫力が中央部６の領域よりも大きくなるように設計されていて、上辺部５及び下辺部７の縁は、端始末不要な縁とされており、バック布の上辺部５及び下辺部７が平坦で凹凸のない仕様となっているブラジャー。【選択図】　図１
2004011077.tif 000002
【特許請求の範囲】
【請求項１】
乳房カップ部と、当該乳房カップ部を保持するための伸縮性を有するバック布とを少なくとも有するブラジャー、または、セパレートタイプの水着のトップ部から選ばれた衣料において、バック布の上辺部の緊迫力が強く、且つ、前記バック布は、その長手方向と共にその幅方向にも伸縮性を有し、当該幅方向の伸長率が８０％以上であることを特徴とする乳房カップ部を有する衣料。
【請求項２】
バック布の緊迫力が、バック布の上辺が強く、中央部が弱く、下辺部がその中間の緊迫力である請求項１に記載の乳房カップ部を有する衣料。
【請求項３】
バック布の上辺部及び下辺部が肌側に対して平坦である請求項１または２のいずれかに記載の乳房カップ部を有する衣料。
【請求項４】
バック布の上辺部及び下辺部が、縁始末不要な縁を有している請求項１〜３のいずれかに記載の乳房カップ部を有する衣料。
【請求項５】
バック布の幅方向の伸長率が、１００％以上である請求項１〜４のいずれかに記載の乳房カップ部を有する衣料。
【発明の詳細な説明】
【０００１】
【発明の属する技術分野】
本発明は、乳房カップ部を保持するためのバック布を有しているブラジャー、または、セパレートタイプの水着のトップ部から選ばれた乳房カップ部を有する衣料に関する。特に、運動追従性の優れた前記乳房カップ部を有する衣料に関する。
【０００２】
【従来の技術】
従来より、ブラジャーやセパレートタイプの水着のトップ部は、乳房カップ部と着用の際に当該乳房カップ部を保持するためのバック布を有しており、女性用の衣料として広く普及している。
【０００３】
従来の乳房カップ部を有する衣料の代表例として、図８に従来の典型的なブラジャーを、広げた状態での裏面側から見た背面図を示した。
【０００４】
図８に示したように、従来の乳房カップ部を有する衣類の一つであるブラジャーは、乳房カップ部２、乳房カップ部周囲の下辺部４、脇布３、バック布１、左右のバック布の連結部８、９、肩紐１０からなり、バック布１の上辺部５・中央部６・下辺部７において、通常、上辺部５、下辺部７に沿って、バック布１の裏側面（肌側面）に伸縮テープが取り付けられている。そして、かかるブラジャーなどのバック布１は、その長さ方向に伸縮性を有する生地が用いられている。着用時には胸部周囲に巻回して着用し、左右のバック布の長さ方向の伸縮性などを利用して、ブラジャーの着用時の位置を安定させている。
【０００５】
そのほか、肩紐１０の存在しないストラップレスのブラジャーも、肩紐１０が存在しないことを除いては、基本的な構成はほぼ同様である。更に、バック布が左右に分離されておらず、左右のバック布に相当する部分が連続した一つのバック布からなり、左右の乳房カップの前中心側に設けられたフロントホックなどで、着脱自在に開閉できる前開きタイプ（フロントオープンタイプ）のブラジャーも、背面開きタイプか、前開きタイプかの点が異なるが、その他の基本的な構成はほぼ同様のものが用いられている。
【０００６】
【発明が解決しようとする課題】
ところで、上肢を上に挙げる等の手の動きや、その他の日常の動作において、左右の肩胛骨は比較的大きく動き、肩胛骨の下方の近傍の皮膚のほぼ縦方の伸びなどもかなり大きくなる。図８のブラジャーを取り上げて説明すると、ブラジャーのバック布１の上辺側は、肩胛骨の下方近傍にあてがわれているので、かかる日常の動作時における皮膚の伸展に伴い、バック布１などのずり上がりが生じ、それに伴いブラジャーの位置ずれや、ずり上がりが生じ、上肢をもとの位置に戻しても、ブラジャーの位置ずれや、ずり上がりが、もとに戻りにくく、着崩れが生じると言う問題がある。
【０００７】
かかる問題を解決するために、該バック布１の上辺部５・中央部６・下辺部７の衣服圧を、強・弱・中とすることにより、ずり上がりなどの着崩れを防止したブラジャーなどが提案されている（日本特許第３１９９９１６３号）。
【０００８】
かかる、ブラジャーは、ずり上がりなどの着崩れを防止するのに効果的であるが、より一層の改良がなされれば、より効果的にずり上がりなどの着崩れ防止機能が付与された衣料が提供できる。本発明は、かかる衣料のずり上がりなどの着崩れを防止する機能を更に向上した乳房カップ部を有する衣料を提供することを目的とする。
【０００９】
【課題を解決するための手段】
上記の課題を解決するために、本発明は、次の様な乳房カップ部を有する衣料を提供するものである。
【００１０】
（１）乳房カップ部と、当該乳房カップ部を保持するための伸縮性を有するバック布とを少なくとも有するブラジャー、または、セパレートタイプの水着のトップ部から選ばれた衣料において、バック布の上辺部の緊迫力が強く、且つ、前記バック布は、その長手方向と共にその幅方向にも伸縮性を有し、当該幅方向の伸長率が８０％以上であることを特徴とする乳房カップ部を有する衣料。
【００１１】
前述したように、バック布の上辺部は、皮膚の伸展の大きい肩胛骨の下部に当接される。従ってバック布の上辺部の緊迫力を強くし、且つバック布をその長さ方向だけでなく幅方向にも伸縮性を有する素材で構成し、その幅方向の伸長率を８０％以上とすることにより、例えば、バック布の上辺部の皮膚が略縦上方向に伸びた場合でも、バック布の上辺部は皮膚を強めに押圧しているので、皮膚の伸びに応じて上方に容易に追従しやすく、しかもバック布がその幅方向にも伸長率が８０％以上の伸縮性を有する素材で構成されていることにより、バック布下辺部の位置がもとに位置にとどまろうとする場合においても、それを無理に引き上げずに、バック布幅方向の伸縮性の機能を利用して下辺部の位置の引き上げを最小限にとどめることができる。従って、従来の幅方向に伸びのないバック布または幅方向の伸長率が小さいバック布を用いた場合の如く、バック布上辺部の移動に伴ってバック布下辺部もほぼ同じ移動量でまたはかなり大きな割合の移動量で引き上げられて、バック布全体が上辺部の移動量とほぼ同じだけまたはかなり大きな割合で移動するのを緩和する機能が付与される。従って、バック布上辺部が上方に追従して移動した場合においても皮膚の伸展の比較的少ないバック布下辺部への影響を小さくすることができるので、バック布下辺部はあまりずれることなく、且つ皮膚の伸展がもとの状態に戻った場合にも、上辺部は容易に追従してもとの位置に戻ることができ、バック布下辺部もあまりずれていないので、下辺部も容易にもとの位置に戻りやすく、着崩れがより一層生じにくい乳房カップ部を有する衣料が提供できる。尚、ここでバック布の幅方向の伸長率とは、通常の着用状態でバック布のほぼ上下方向の伸長率を意味している。
【００１２】
（２）前記（１）項に記載の本発明の乳房カップ部を有する衣料においては、バック布の緊迫力が、バック布の上辺が強く、中央部が弱く、下辺部がその中間の緊迫力であることが好ましい。
【００１３】
かかる本発明の好ましい態様とすることにより、バック布上辺部は緊迫力が強めに設計されているので、皮膚の伸びに応じて上方に容易に追従しやすく、着用時の筋肉や皮膚の動きに常に密着し、皮膚の当初の当接箇所からの位置ずれを最小限にしている。そしてバック布の下辺部は、下辺部が当接される部分の筋肉や皮膚の動き、伸展が上辺部ほど大きくないので上辺部よりも緊迫力は弱くしてあるが、その幅方向の中間の中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい乳房カップ部を有する衣料が提供でき好ましい。すなわちバック布上辺部の動きによる応力が、中央部で緩和吸収されることにより、バック布下辺部の位置ずれなどを少なくできるとともに、多少、バック布下辺部がずれたとしても、もとの位置に比較的容易に戻ることができる様に、バック布下辺部は中間の緊迫力になるように設計されていることが好ましい。
【００１４】
（３）また、前記（１）項または（２）項のいずれかに記載の本発明の乳房カップ部を有する衣料においては、バック布の上辺部及び下辺部が肌側に対して平坦であることが好ましい。
【００１５】
かかる本発明の好ましい態様とする事により、従来のバック布の上辺部及び下辺部に沿って、肌側面へストレッチテープなどが取り付けられていたり、上辺部及び下辺部の縁が、肌側に折り返されて縫合されるなどの２重構造になっている場合などの肌側面に対して凸の縁構造となっている場合に問題となっていた、着用者の肌への跡つきによる不快感や、部分的な圧迫による強い締め付け感が軽減され好ましい。
【００１６】
（４）また、前記（１）〜（３）項のいずれかに記載の本発明の乳房カップ部を有する衣料においては、バック布の上辺部及び下辺部が、縁始末不要な縁を有していることが好ましい。
【００１７】
かかる本発明の好ましい態様とする事により、従来のバック布の上辺部及び下辺部に沿って、肌側面へストレッチテープなどが取り付けられていたり、上辺部及び下辺部の縁が、肌側に折り返されて縫合されるなどの２重構造になっている場合などの肌側面に対して凸の縁構造となっている場合に問題となっていた、着用者の肌への跡つきによる不快感や、部分的な圧迫による強い締め付け感が軽減されるとともに、縁始末不要な縁となっている部分は、折り返して縫合するなどの縁始末がされていないので、その部分の厚みがフラットになり、段差が生じることがなく、アウターウェアーに段差が反映することもないし、すっきりした胸部シルエットを実現できる。従って、機能性、ファッション性においても優れた衣料とすることができ好ましい。
【００１８】
（５）また、前記（１）〜（４）項のいずれかに記載の本発明の乳房カップ部を有する衣料においては、バック布の幅方向の伸長率が、１００％以上であることが好ましい。
【００１９】
かかる本発明の好ましい態様とすることにより、動きの大きなバック布上辺部の、動きに伴う応力が下辺部にダイレクトに作用しないように緩和する機能や、逆に、下辺部が上辺部の大きな動きを拘束することを緩和する機能が、十分発揮され、着崩れがより一層生じにくい乳房カップ部を有する衣料が提供でき好ましい。
【００２０】
【発明の実施の形態】
以下、本発明の理解を容易にするために、図面を用いて実施の形態例について具体的に説明するが、本発明はこれらの実施の形態例に記載されたもののみに限定されるものではない。
【００２１】
（実施形態例１）
図１は、本発明の乳房カップ部を有する衣料の１つである前開きタイプのブラジャーを広げた状態で前面側から見た正面図である。
【００２２】
図１のブラジャーは、２が乳房カップ部、４が乳房カップ部の下辺部、３が脇布、１がバック布であり、バック布１は脇布３の一端側の縁１１に取り付けられている。左右の乳房カップ２、２の前中心側の縁の下方部分に、フロントホック１２ａ、１２ｂが取り付けられており、このフロントホック１２ａ、１２ｂを前中心側で閉じることにより着用し、脱ぐ際には、フロントホック１２ａ、１２ｂ間の連結をはずすことによって、着脱する。
【００２３】
尚、この例では、脇布３の一端側の縁１１の内部に、剛性を有するボーンが装着されている。また、乳房カップ部周囲の下辺部４の内部には、カップワイヤーが挿入されている。そしてバック布１は、その長さ方向のみならず、幅方向にも良好な伸縮性を有する生地（例えば、縦横２方向に伸縮性のパワーネットなど）が用いられている。
【００２４】
バック布１の上辺部５の領域に用いられている弾性糸は、バック布１の下辺部７の領域や中央部６の領域に用いられている弾性糸よりも太い弾性糸が用いられており、また編組織として緊迫力が大きくなるような編組織とされていて、バック布１の下辺部７や中央部６よりも緊迫力が大きくなるように設計されているとともに、その縁は縁始末不要な縁とされている。（尚、バック布１の領域５、６、７の境界を点線で示したが、この点線は縫合線ではなく、前記各領域５、６、７の境界を示す仮想線である。）。一方、バック布１の下辺部７の領域においては、用いられている弾性糸が中央部６の領域に用いられている弾性糸よりも太いが、上辺部５の領域に用いられている弾性糸よりも細い弾性糸を用い、しかも編組織として上辺部５の領域の編組織の緊迫力よりも弱いが、中央部６の領域の編組織の緊迫力よりも大きくなるような編組織を採用することによりこの部分の緊迫力が中央部６よりも強くなるようにされていると共に、その縁は、端始末不要な縁とされている。従って、バック布の上辺部５及び下辺部７が平坦で凹凸のない仕様となっている。端始末不要な縁とは、生地の縁部を折り返して縫合するなどの、いわゆる端始末をしなくても、ほつれが生じない縁部を意味しており、かかる端始末不要な縁部を有する生地は、例えば、日本特開２０００−３０３３３１号公報（図２とその説明部分［００２０］参照）や、日本特許第２９９７４３２号（図３とその説明部分参照）などに示されているように、糸抜きなどの公知の手法や、その他の適宜の手法で作成できる。また、編組織を切り替えることにより、緊迫力の強、中、弱などの緊迫力の異なる領域を連続した１枚の編地中において編み分ける方法は、例えば、日本特許第３０２３３５４号公報などに記載の公知の手法などが採用できる。これらの点は、以下の実施の形態例においても同様に採用される。尚、本実施の形態例においては、バック布の幅方向の伸長率が１６０％の生地を用いた。
【００２５】
以上に説明したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００２６】
バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００２７】
更に、バック布の上辺部及び下辺部が、縁始末不要な縁を有し、従って平坦で凹凸のない仕様となっており、また上辺部及び下辺部を２つ折りにして２重構造として縫合するなど、従来の様な縁始末を必要とする態様や、伸縮テープ使いの場合に問題となっていた、着用者の肌への跡つきによる不快感や、部分的な圧迫による強い締め付け感が軽減された衣料とする事ができる。
【００２８】
尚、上記で説明したブラジャーの上辺部及び下辺部は、弾性糸の太さや、編み組織の切り替えによる緊迫力の変化を付した好ましい態様とし、且つその上辺部及び下辺部の縁を縁始末不要な縁としたが、かかる態様とする代わりに、バック布の上辺部及び／又は下辺部が肌側又は外側に二つ折りにされている態様、あるいは、バック布の上辺部及び／又は下辺部を表裏から挟むように、２つ折りのテープ状の縁取り布を取り付ける態様としても、また、バック布の上辺部及び／又は下辺部において、その縁に沿って、肌側又は外側に伸縮テープが設けられている態様としても、更には、これらを適宜組み合わせた態様とすることも可能である。更には、これらの手法のいずれか２つ以上の組み合わせとすることも可能である。尚、上辺部及び／又は下辺部の折り返し手法を採用する場合には、目的に応じ肌側に折り返す態様や、外側に折り返す態様とすることができる。
【００２９】
以上のような、変形態様は、本実施形態例のみに限られるものではなく、他の実施形態例についても同様に適用しうる。
【００３０】
尚、バック布の上辺部、中央部、下辺部のそれぞれの緊迫力としては特に限定するものではないが、衣服圧で、上辺部が５〜５０ｇ／ｃｍ２、中央部が２〜２０ｇ／ｃｍ２、下辺部が３〜３０ｇ／ｃｍ２であることが好ましい。且つ緊迫力において、上辺部＞下辺部＞中央部とすることが好ましい。これらは、他の実施の形態例においても同様に適用できる。
【００３１】
（実施形態例２）
図２は、本発明の乳房カップ部を有する衣料の１つである前開きタイプの別の態様のブラジャーを広げた状態で前面側から見た正面図である。
【００３２】
図２に示した前開きタイプのブラジャーは、バック布１の平面形状が、図１に示した前開きタイプのブラジャーバック布の平面形状と若干異なり、特にバック布１の幅が、若干狭くなっており、また、バック布上辺部５の縁の形状が凹状にカーブしている。その他の点は、実質上実施形態例１の図１に示した前開きタイプのブラジャーと同一である。従って、バック布１はその幅方向にも良好な伸縮性を有するバック布であり、同一部分には同一の符号を付して、重複説明を省略した。尚、本実施の形態例においては、バック布の幅方向の伸長率が１６０％の生地を用いた。
【００３３】
図２に示したブラジャーも、実施形態例１のブラジャーとほぼ同様の機能を発揮できる。図２に示したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００３４】
バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００３５】
更に、バック布の上辺部及び下辺部が、縁始末不要な生地からなり、従って平坦で凹凸のない仕様となっているので、縁始末を要するバック布を用いた場合や、また伸縮テープ使いの場合などに問題となっていた、着用者の肌への跡つきによる不快感や、部分的な圧迫による強い締め付け感が軽減された衣料とする事ができる。
【００３６】
（実施形態例３）
図３は、本発明の乳房カップ部を有する衣料の１つである後開きタイプの態様のストラップレスブラジャーを広げた状態で前面側から見た正面図である。
【００３７】
図３に示した後開きタイプのブラジャーは、図１や図２で示した前開きタイプのブラジャーと異なり、左右のカップ部２、２が前中心で連結されており、バック布１、１が、左右それぞれのカップ部２、２の脇布３、３の縁１１、１１からそれぞれ左右に伸びている。８、９は左右のバック布の連結部である。連結部８、９に取り付けられた鉤ホックなどで、着脱の際に開閉しうる様になっている。
【００３８】
尚、この例では、脇布３の一端側の縁１１の内部に、剛性を有するボーンが装着されている。また、乳房カップ部周囲の下辺部４の内部には、カップワイヤーが挿入されている。そしてバック布１は、その長さ方向のみならず、幅方向にも良好な伸縮性を有する生地（例えば、縦横２方向に伸縮性のパワーネットなど）が用いられている。バック布１の上辺部５の領域に用いられている弾性糸は、バック布１の下辺部７の領域や中央部６の領域に用いられている弾性糸よりも太い弾性糸が用いられており、また編組織として緊迫力が大きくなるような編組織とされていて、バック布１の下辺部７や中央部６よりも緊迫力が大きくなるように設計されているとともに、その縁は縁始末不要な縁とされている。一方、バック布１の下辺部７の領域においては、用いられている弾性糸が中央部６の領域に用いられている弾性糸よりも太いが、上辺部５の領域に用いられている弾性糸よりも細い弾性糸を用い、しかも編組織として上辺部５の領域の編組織の緊迫力よりも弱いが、中央部６の領域の編組織の緊迫力よりも大きくなるような編組織を採用することによりこの部分の緊迫力が中央部６よりも強くなるようにされていると共に、その縁は、端始末不要な縁とされている。従って、バック布の上辺部５及び下辺部７が平坦で凹凸のない仕様となっている。尚、本実施の形態例においては、バック布の幅方向の伸長率が１６０％の生地を用いた。
【００３９】
図３に示したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００４０】
尚、左右のバック布の連結部８、９の部分は、特に伸縮性を持たない素材であってもよく、連結部は、背中の後ろ中心線上に位置することになり、この位置の皮膚の伸展は比較的小さいので伸縮性を持たない素材であっても何ら支障がない。皮膚の伸展の大きい部分は、前述したように左右の肩胛骨の下の部分だからである。
【００４１】
また、バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００４２】
更に、バック布の上辺部及び下辺部が、縁始末不要な生地からなり、従って平坦で凹凸のない仕様となっているので、縁始末を要するバック布を用いた場合や、また伸縮テープ使いの場合などに問題となっていた、着用者の肌への跡つきによる不快感や、部分的な圧迫による強い締め付け感が軽減された衣料とする事ができる。
【００４３】
（実施形態例４）
図４は、本発明の乳房カップ部を有する衣料の１つである後開きタイプでロングラインタイプのストラップレスブラジャーを広げた状態で前面側から見た正面図である。
【００４４】
図４に示したロングラインタイプのブラジャーは、縦方向の幅が大きくなっており、カップ下部充当部２０の幅が大きくなっていて、それに対応して、左右のバック布１、１の幅も大きくなっている点が、図３に示した後開きタイプのブラジャーと異なっているが、その他の点は、実質上図３に示した実施形態例３のブラジャーと同一である。従って、バック布１はその幅方向にも良好な伸縮性を有するバック布であり、同一部分には同一の符号を付して、重複説明を省略した。
【００４５】
従って、このブラジャーにおいてもバック布１は、その長さ方向のみならず、幅方向にも良好な伸縮性を有する生地（例えば、縦横２方向に伸縮性のパワーネットなど）が用いられている。　バック布１の上辺部５の領域に用いられている弾性糸は、バック布１の下辺部７の領域や中央部６の領域に用いられている弾性糸よりも太い弾性糸が用いられており、また編組織として緊迫力が大きくなるような編組織とされていて、バック布１の下辺部７や中央部６よりも緊迫力が大きくなるように設計されているとともに、その縁は縁始末不要な縁とされている。一方、バック布１の下辺部７の領域においては、用いられている弾性糸が中央部６の領域に用いられている弾性糸よりも太いが、上辺部５の領域に用いられている弾性糸よりも細い弾性糸を用い、しかも編組織として上辺部５の領域の編組織の緊迫力よりも弱いが、中央部６の領域の編組織の緊迫力よりも大きくなるような編組織を採用することによりこの部分の緊迫力が中央部６よりも強くなるようにされていると共に、その縁は、端始末不要な縁とされている。従って、バック布の上辺部５及び下辺部７が平坦で凹凸のない仕様となっている。尚、本実施の形態例においては、バック布の幅方向の伸長率が１４０％の生地を用いた。
【００４６】
図４に示したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００４７】
尚、左右のバック布の連結部８、９の部分は、実施の形態例３のブラジャーの場合と同様に、特に伸縮性を持たない素材であってもよく、連結部は、背中の後ろ中心線上に位置することになり、この位置の皮膚の伸展は比較的小さいので伸縮性を持たない素材であっても何ら支障がない。
【００４８】
また、バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００４９】
更に、バック布の上辺部及び下辺部が、縁始末不要な生地からなり、従って平坦で凹凸のない仕様となっているので、縁始末を要するバック布を用いた場合や、また伸縮テープ使いの場合などに問題となっていた、着用者の肌への跡つきによる不快感や、部分的な圧迫による強い締め付け感が軽減された衣料とする事ができる。
【００５０】
（実施形態例５）
図５は、本発明の乳房カップ部を有する衣料の１つである前面開きタイプの別の態様のブラジャーを広げた状態で前面側から見た正面図である。
【００５１】
図５のブラジャーは、図１の実施形態例１の前面開きタイプブラジャーに、肩紐１０が取り付けられている態様のブラジャーであり、その他の点は、実質上実施形態例１のブラジャーと同一である。従って、バック布１はその幅方向にも良好な伸縮性を有するバック布であり、同一部分には同一の符号を付して、重複説明を省略した。
【００５２】
従って、このブラジャーにおいてもバック布１は、その長さ方向のみならず、幅方向にも良好な伸縮性を有する生地（例えば、縦横２方向に伸縮性のパワーネットなど）が用いられている。
【００５３】
バック布１の上辺部５の領域に用いられている弾性糸は、バック布１の下辺部７の領域や中央部６の領域に用いられている弾性糸よりも太い弾性糸が用いられており、また編組織として緊迫力が大きくなるような編組織とされていて、バック布１の下辺部７や中央部６よりも緊迫力が大きくなるように設計されているとともに、その縁は縁始末不要な縁とされている。一方、バック布１の下辺部７の領域においては、用いられている弾性糸が中央部６の領域に用いられている弾性糸よりも太いが、上辺部５の領域に用いられている弾性糸よりも細い弾性糸を用い、しかも編組織として上辺部５の領域の編組織の緊迫力よりも弱いが、中央部６の領域の編組織の緊迫力よりも大きくなるような編組織を採用することによりこの部分の緊迫力が中央部６よりも強くなるようにされていると共に、その縁は、端始末不要な縁とされている。従って、バック布の上辺部５及び下辺部７が平坦で凹凸のない仕様となっている。尚、本実施の形態例においては、バック布の幅方向の伸長率が１６０％の生地を用いた。
【００５４】
図５に示したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００５５】
また、バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００５６】
更に、バック布の上辺部及び下辺部が、縁始末不要な生地からなり、従って平坦で凹凸のない仕様となっているので、縁始末を要するバック布を用いた場合や、また伸縮テープ使いの場合などに問題となっていた、着用者の肌への跡つきによる不快感や、部分的な圧迫による強い締め付け感が軽減された衣料とする事ができる。
【００５７】
（実施の形態例６）
図６は、本発明の乳房カップ部を有する衣料の１つである背面開きタイプのブラジャーを広げた状態で裏面側から見た背面図である。
【００５８】
図６のブラジャーは、乳房カップ部２、乳房カップ部周囲の下辺部４、脇布３、バック布１、左右のバック布の連結部８、９、肩紐１０からなり、バック布１は脇布３の一端側の縁１１に取り付けられている。尚、この例では、脇布３の一端側の縁１１の内部に、剛性を有するボーンが装着されている。また、乳房カップ部周囲の下辺部４の内部には、カップワイヤーが挿入されている。そしてバック布１は、その長さ方向のみならず、幅方向にも良好な伸縮性を有する生地（例えば、縦横２方向に伸縮性のパワーネットなど）が用いられている。バック布１の上辺部５の肌側面には、その長さ方向に伸縮性の伸縮テープが取り付けられていて、バック布１の下辺部７や中央部６よりも緊迫力が大きくなるように設計されている。一方、バック布１の下辺部７は、用いられている弾性糸が中央部６に用いられている弾性糸よりも太い弾性糸を用いることによりこの部分の緊迫力が中央部６よりも高くなるようにされていると共に、その縁は、端始末不要な縁とされている。従って、バック布の下辺部７が肌側に対して平坦で凹凸のない仕様となっている。尚、本実施の形態例においては、バック布の幅方向の伸長率が１６０％の生地を用いた。
【００５９】
図６に示したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００６０】
また、バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００６１】
更に、バック布の下辺部が、縁始末不要な生地からなり、従って肌側に対して平坦で凹凸のない仕様となっているので、運動により下辺部の位置がずれたとしても、スムーズにもとに位置に戻りやすく、またバック布の下辺部においては、肌側面への伸縮テープ使いの場合に問題となっていた、着用者の肌への跡つきによる不快感や、部分的な圧迫による強い締め付け感が軽減された衣料とする事ができる。
【００６２】
尚、左右のバック布の連結部８、９の部分は、特に伸縮性を持たない素材であってもよく、連結部は、背中の後ろ中心線上に位置することになり、この位置の皮膚の伸展は比較的小さいので伸縮性を持たない素材であっても何ら支障がない。
【００６３】
（実施形態例７）
図７は、本発明の乳房カップ部を有する衣料の１つである背面開きタイプの更に別の態様のブラジャーを広げた状態で裏面側から見た背面図である。
【００６４】
図７のブラジャーは、図６の実施形態例６のブラジャーで採用した脇布３がなく、バック布１が乳房カップ部周囲の下辺部４に直接取り付けられている態様のブラジャーであり、その他の点は、実質上実施形態例６のブラジャーと同一である。従って、バック布１はその幅方向にも良好な伸縮性を有するバック布であり、同一部分には同一の符号を付して、重複説明を省略した。尚、本実施の形態例においては、バック布の幅方向の伸長率が１６０％の生地を用いた。
【００６５】
以上に説明したブラジャーは、動きの大きいバック布の上辺部の皮膚が略縦上方向に伸びた場合でも、上辺部は皮膚を強めに押圧しているので、皮膚の伸びに応じて上方に容易に追従しやすく、しかもバック布がその幅方向にも所定の伸長率をもった伸縮性を有する素材で構成されていることにより、バック布上辺部が上方により追従しやすく、バック布上辺部が上方に追従して移動した場合においても皮膚の伸展の比較的少ないバック布下辺部への影響を小さくすることができ、バック布下辺部はあまりずれることなく、且つ皮膚の伸展がもとの状態に戻った場合にも、上辺部は容易に追従してもとの位置に戻ることができ、バック布下辺部もあまりずれていないので、容易にもとに位置に戻りやすい。すなわちバック布上辺部の動きによる応力が、バック布幅方向の伸びで緩和吸収されることにより、バック布下辺部の位置ずれなどを少なくできる。従って着崩れがより一層生じにくいブラジャーを提供できる。
【００６６】
また、バック布の緊迫力が、バック布の上辺が強く、中央部が弱く、下辺部がその中間の緊迫力になるように設計されていることにより、バック布上辺部は、着用時の筋肉や皮膚の動きに常に密着し、位置ずれを最小限にしている。そしてバック布の下辺部は、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい設計とされている。
【００６７】
更に、バック布の下辺部が、縁始末不要な生地からなり、従って肌側に対して平坦で凹凸のない仕様となっているので、運動により下辺部の位置がずれたとしても、スムーズにもとに位置に戻りやすく、またバック布の下辺部においては、肌側面への伸縮テープ使いの場合に問題となっていた、着用者の肌への跡つきによる不快感や、部分的な圧迫による強い締め付け感が軽減された衣料とする事ができる。
【００６８】
以上の実施の形態例では、主としてブラジャーを具体例として取り上げて説明したが、セパレートタイプの水着のトップ部（ブラジャー部）にも同様に、本発明を適用できる。
【００６９】
本発明において、バック布の幅方向の伸長率は、８０％以上であることが必要であり、好ましくは１００％以上、より好ましくは１４０％以上であり、バック布の幅方向の伸長率が８０％より小さい場合には、本発明の前述した着崩れ防止機能を十分に発揮することができず、好ましくない。バック布の幅方向の伸長率の上限は特に限定はなく、２００％以上、更には３００％以上であっても何ら差し支えなく、大きいほど好ましいが、現時点で、上辺部の緊迫力が強く、且つ、バック布長手方向にも幅方向にも伸縮性を有する生地において、入手が比較的容易なものはバック布の幅方向の伸長率が３００％以下のものである。
【００７０】
尚、本発明において、バック布の幅方向の伸長率は、次の方法により測定できる。
【００７１】
バック布の幅方向が試験片の長さ方向になるように幅２．５ｃｍ×長さ１６．０ｃｍの試験片を作成し、その長さ方向を上下方向に向けてその両端をクリップでつかむ。上部つかみ長さを３．５ｃｍ、下部つかみ長さを２．５ｃｍとし、従ってつかみ間隔は１０．０ｃｍとして定速伸長型引張試験機（島津製作所製“オートグラフ”ＡＧ−５００Ｄ）に取り付け、３０±２ｃｍ／分の速度で試験片を伸長させ、荷重２２Ｎ（２．２４ｋｇｆ）の伸長率を測定する。これらのデータは試験片２つの平均値を求めて伸長率とした。
【００７２】
ここで、伸長率（％）とは、伸ばした状態で伸び方向の生地の長さをｄ、伸ばす前の試料の元の長さ（すなわちつかみ間隔）をｅとすると、［（ｄ−ｅ）／ｅ］×１００の値である。
【００７３】
尚、伸長率の測定の際に試験片の大きさとしては、前述のような大きさのものを用いることが好ましいが、かかる大きさの試料が測定対象の衣類から切り出せない場合にはそれより小さくても差し支えない。ただ、試料の大きさが小さくなるほど、測定誤差が大きくなるので、切り出せる範囲でできるだけ大きな試料を採取して測定することが好ましい。
【００７４】
また、緊迫力は、衣服圧を測定し、衣服圧の大きいものほど緊迫力が大きいとした。緊迫力の強、中、弱の目安としては、衣服圧として、それぞれ強が１５〜３０ｇ／ｃｍ２、中が１０〜２０ｇ／ｃｍ２、弱が５〜１５ｇ／ｃｍ２の範囲で適宜緊迫力の強、中、弱を調整することが好ましい。尚、衣服圧の測定には、株式会社エイエムアイ製の衣服圧測定機（日本特開平６−５０８２８号参照）を用いることができる。
【００７５】
【発明の効果】
（１）本発明の乳房カップ部を有する衣料は、乳房カップ部と、当該乳房カップ部を保持するための伸縮性を有するバック布とを少なくとも有するブラジャー、または、セパレートタイプの水着のトップ部から選ばれた衣料において、バック布の上辺部の緊迫力が強く、且つ、前記バック布は、その長手方向と共にその幅方向にも伸縮性を有し、当該幅方向の伸長率が８０％以上である伸縮性を有している。
【００７６】
従ってバック布の上辺部の緊迫力を強くし、且つバック布をその長さ方向だけでなく幅方向にも伸縮性を有する素材で構成し、その幅方向の伸長率を８０％以上とすることにより、バック布上辺部は皮膚を強めに押圧しているので、皮膚の伸びに応じて上方に容易に追従しやすく、しかもバック布がその幅方向にも伸縮性を有する素材で構成されていることにより、バック布下辺部の位置がもとに位置にとどまろうとする場合においても、それを無理に引き上げずに、バック布幅方向の伸縮性の機能を利用して下辺部の位置の引き上げを最小限にとどめることができる。従って、従来の幅方向に伸びのないバック布または幅方向の伸長率が小さいバック布を用いた場合の如く、バック布上辺部の移動に伴ってバック布下辺部もほぼ同じ移動量でまたはかなり大きな割合の移動量で引き上げられて、バック布全体が上辺部の移動量とほぼ同じだけまたはかなり大きな割合で移動するのを緩和する機能が付与される。従って、バック布上辺部が上方に追従して移動した場合においても皮膚の伸展の比較的少ないバック布下辺部への影響を小さくすることができるので、バック布下辺部はあまりずれることなく、且つ皮膚の伸展がもとの状態に戻った場合にも、上辺部は容易に追従してもとの位置に戻ることができ、しかもバック布下辺部もあまりずれていないので、下辺部も容易にもとに位置に戻りやすく、着崩れがより一層生じにくい乳房カップ部を有する衣料が提供できる。
【００７７】
（２）また、バック布の緊迫力が、バック布の上辺が強く、中央部が弱く、下辺部がその中間の緊迫力である本発明の好ましい態様とすることにより、バック布上辺部は、筋肉や皮膚の動きに常に密着し、位置ずれを最小限にし、バック布の下辺部は、当接される部分の筋肉や皮膚の動き、伸展が上辺部ほど大きくないので上辺部よりも緊迫力は弱くしてあるが、中央部よりも強めの力で押さえ、衣料の位置を安定させている。また、バック布の幅方向の中央部は、該下辺部よりも緊迫力が弱く、上辺部の動きを阻害せず、容易に伸縮ができる状態になっており、着崩れがより一層生じにくい乳房カップ部を有する衣料が提供でき好ましい。
【００７８】
（３）また、バック布の上辺部及び下辺部が肌側に対して平坦である本発明の好ましい態様とする事により、従来のバック布の上辺部及び下辺部に沿って、肌側面へストレッチテープなどが取り付けられていたり、上辺部及び下辺部の縁が、肌側に折り返されて縫合されるなどの２重構造になっている場合などの肌側面に対して凸の縁構造となっている場合に問題となっていた、着用者の肌への跡つきによる不快感や、部分的な圧迫による強い締め付け感が軽減され好ましい。
【００７９】
（４）また、バック布の上辺部及び下辺部が、縁始末不要な縁を有している本発明の好ましい態様とする事により、バック布の上辺部及び下辺部を平坦で凹凸のない仕様とする事ができ、従来のバック布の上辺部及び下辺部に沿って、肌側面へストレッチテープなどが取り付けられていたり、上辺部及び下辺部の縁が、肌側に折り返されて縫合されるなどの２重構造になっている場合などの肌側面に対して凸の縁構造となっている場合に問題となっていた、着用者の肌への跡つきによる不快感や、部分的な圧迫による強い締め付け感が軽減されるとともに、縁始末不要な縁となっている部分は、折り返して縫合するなどの縁始末がされていないので、その部分の厚みがフラットになり、段差が生じることがなく、アウターウェアーに段差が反映することもないし、すっきりした胸部シルエットを実現できる。従って、機能性、ファッション性においても優れた衣料とすることができ好ましい。
【００８０】
（５）また、バック布の幅方向の伸長率が、１００％以上である本発明の好ましい態様とすることにより、動きの大きなバック布上辺部の、動きに伴う応力が下辺部にダイレクトに作用しないように緩和する機能や、逆に、下辺部が上辺部の大きな動きを拘束することを緩和する機能が、十分発揮され、着崩れがより一層生じにくい乳房カップ部を有する衣料が提供できる。
【図面の簡単な説明】
【図１】本発明の乳房カップ部を有する衣料の１つである前開きタイプのブラジャーを広げた状態で前面側から見た正面図。
【図２】本発明の乳房カップ部を有する衣料の１つである前開きタイプの別の態様のブラジャーを広げた状態で前面側から見た正面図。
【図３】本発明の乳房カップ部を有する衣料の１つである後開きタイプの態様のストラップレスブラジャーを広げた状態で前面側から見た正面図。
【図４】本発明の乳房カップ部を有する衣料の１つである後開きタイプでロングラインタイプのストラップレスブラジャーを広げた状態で前面側から見た正面図。
【図５】本発明の乳房カップ部を有する衣料の１つである前面開きタイプの別の態様のブラジャーを広げた状態で前面側から見た正面図。
【図６】本発明の乳房カップ部を有する衣料の１つである背面開きタイプのブラジャーを広げた状態で裏面側から見た背面図。
【図７】本発明の乳房カップ部を有する衣料の１つである背面開きタイプの更に別の態様のブラジャーを広げた状態で裏面側から見た背面図。
【図８】従来の乳房カップ部を有する衣料の１つであるブラジャーを広げた状態で裏面側から見た背面図。
【符号の説明】
１　バック布
２　乳房カップ部
３　脇布
４　乳房カップ部周囲の下辺部
５　バック布１の上辺部
６　バック布１の中央部
７　バック布１の下辺部
８、９　連結部
１０　肩紐
１１　脇布３の一端側の縁
１２ａ、１２ｂ　フロントホック
２０　カップ下部充当部
【図１】
2004011077.tif 000003
【図２】
2004011077.tif 000004
【図３】
2004011077.tif 000005
【図４】
2004011077.tif 000006
【図５】
2004011077.tif 000007
【図６】
2004011077.tif 000008
【図７】
2004011077.tif 000009
【図８】
2004011077.tif 000010